(57)【特許請求の範囲】
【請求項１】
各々発色が異なる３色のグループ色領域が配列されてなるカラーフィルタを備えた電気光学装置において、
前記グループ色領域は各々色が異なる複数の色領域を備え、
前記複数の色領域は平面的に並べて配置されており、
隣接する前記グループ色領域間に対応する位置には遮光膜が形成されてなるとともに、前記グループ色領域内の前記色領域間においては、前記遮光膜が省略されてなることを特徴とする電気光学装置。
【請求項２】
請求項１に記載の電気光学装置において、
前記グループ色領域は青色グループ色領域、緑色グループ色領域、赤色グループ色領域を含んでなることを特徴とする電気光学装置。
【請求項３】
請求項２に記載の電気光学装置において、
前記青色グループ色領域は、青色、マゼンダ色およびシアン色の色領域を、前記緑色グループ色領域は、緑色、シアン色および黄色の色領域を、並びに前記赤色グループ色領域は赤色、黄色およびマゼンタ色の色領域をそれぞれ備えてなることを特徴とする電気光学装置。
【請求項４】
請求項１乃至請求項３のうちいずれかに記載の電気光学装置において、
複数の画素を備えており、
前記複数の色領域の各々が、前記複数の画素の各々に配置されてなることを特徴とする電気光学装置。
【請求項５】
請求項１乃至請求項４のうちいずれかに記載の電気光学装置において、
ＴＦＴ及び画素電極を有するＴＦＴアレイ基板と、対向基板と、を更に具備し、前記対向基板に前記カラーフィルタが設けられてなることを特徴とする電気光学装置。
【請求項６】
請求項１乃至請求項５のいずれか一項に記載の電気光学装置を備えたことを特徴とする電子機器。
【発明の詳細な説明】
【０００１】
【発明の属する技術分野】
本発明は、電気光学装置及び電子機器の技術分野に属する。
【０００２】
【背景技術】
従来、液晶パネルなどの電気光学パネル用のカラーフィルタとしては、顔料分散法、染色法、印刷法、電着法等により製造されるものがある。これらのうち顔料分散法が分光特性、パターン精度、製造コスト、耐熱性、耐光性等の面で総合的に優れており、現在主流となっている。
【０００３】
この顔料分散法により製造されるカラーフィルタは、Ｒ（赤色）、Ｇ（緑色）、Ｂ（青色）の色別に選択的に光を吸収したり透過したりする顔料が分散された材料からなる。そして、例えば、Ｒに係るカラーフィルタ部分は、Ｇ及びＢの光を顔料により吸収することにより、Ｒの光のみを透過するように構成されている。従って、このように構成されたカラーフィルタを介して光を液晶パネルに入射しつつ、各ＲＧＢに割り当てられた各画素部をＲＧＢ信号に応じて夫々液晶駆動すれば、視覚上はこれらのＲＧＢが混じるため、一枚の液晶パネルにより任意の色のカラー画像を表示できる。この顔料分散法により製造されるカラーフィルタによれば、顔料により確実な分光性能が得られると共に、その製造も比較的容易である。
【０００４】
【発明が解決しようとする課題】
しかしながら、従来のカラーフィルタはＲ、Ｇ、Ｂの３色のフィルタを使用しているため、微妙な色合いに対して自然な発色を提供することが非常に難しかった。
【０００５】
本発明は上述の問題点に鑑みなされたものであり、画素部の駆動系を変更することなく、自然な中間色を発色することを可能とするカラーフィルタを備えた電気光学装置及び該電気光学装置を備えた電子機器を提供することを課題とする。
【０００６】
【課題を解決するための手段】
上記課題を解決するのカラーフィルタの例ととしては、基板上に形成され、光を色別に選択的に吸収及び透過する着色材料を含む着色フィルタ層を備え、前記着色フィルタ層は、光を透過する波長が波長スペクトル上で実質的に等間隔に位置するように決定された複数の色に対応する色領域を有する。
【０００７】
本例によれば、着色フィルタ上に形成される複数の色領域は、各々が透光の波長が波長スペクトル上で実質的に等間隔で位置するように構成されている。よって、カラーフィルタ全体として光透過特性をより平坦化することができ、様々な色を自然に発色することが可能となる。
【０００８】
上記例のカラーフィルタの一態様では、前記複数の色領域は、赤色、青色及び緑色を含む６色の色領域を有する。
【０００９】
この態様によれば、従来の赤色、青色及び緑色の３色に加えて他の３色を使用することにより、赤色、青色及び緑色の３色を使用するカラーフィルタの光透過特性を補間し、該特性をカラーフィルタ全体として平坦化することができる。
【００１０】
上記例のカラーフィルタの他の一態様では、前記色領域の各々は１つ画素に対応する位置に形成されている。
【００１１】
この態様によれば、各画素に対応する位置に各色領域が配置されるので、各画素を駆動することにより対応する色を発色させることができ、従来の電気光学パネルについて画素の駆動系を変更する必要がない。
【００１２】
上記課題を解決する他例のカラーフィルタは、基板上に形成され、光を色別に選択的に吸収及び透過する着色材料を含む着色フィルタ層を備え、前記着色フィルタ層は、赤色、青色、緑色、黄色、シアン色及びマゼンタ色の６色の色領域を有する。
【００１３】
このカラーフィルタによれば、赤色、青色及び緑色に加えて、黄色、シアン色及びマゼンタ色の色領域が形成される。赤色は黄色及びマゼンタ色により作ることができ、緑色はシアン色及び黄色により作ることができ、青色はマゼンタ色及びシアン色により作ることができるという関係があるので、黄色、シアン色及びマゼンタ色の色領域を付加することにより、微妙な中間色をより自然に発色することが可能となる。
【００１４】
上記例のカラーフィルタの一態様では、前記色領域の各々は１つの画素に対応する位置に形成されている。
【００１５】
この態様によれば、各画素に対応する位置に各色領域が配置されるので、各画素を駆動することにより対応する色を発色させることができ、従来の電気光学パネルについて画素の駆動系を変更する必要がない。
【００１６】
上記例のカラーフィルタの他の一態様では、前記着色フィルタ層は、赤色、黄色及びマゼンタ色の各１つの色領域を平面的に並べてなる赤色グループ領域と、緑色、シアン色及び黄色の各１つの色領域を平面的に並べてなる緑色グループ領域と、青色、マゼンタ色及びシアン色の各１つの色領域を平面的に並べてなる青色グループ領域と、を所定の配列に配置してなる。
【００１７】
この態様によれば、赤色、黄色及びマゼンタ色を平面的に並べ、各色の色領域に対応する画素の発光を調整することにより赤色に近い微妙な色を発色することができる。同様に、緑色、シアン色及び黄色の色領域に対応する画素の発光を調整することにより緑色に近い微妙な色を発色することができ、青色、マゼンタ色及びシアン色の色領域に対応する画素の発光を調整することにより青色に近い微妙な色を発色することができる。よって、微妙な中間色を自然に発色させることができる。
【００１８】
上記例のカラーフィルタの一態様では、前記赤色グループ領域は赤色の色領域の両側に黄色の色領域とマゼンタ色の色領域を並べて配置してなり、前記緑色グループ領域は緑色の色領域の両側にシアン色の色領域と黄色の色領域を並べて配置してなり、前記青色グループ領域は青色の色領域の両側にマゼンタ色の色領域とシアン色の色領域を並べて配置してなる。
【００１９】
この態様によれば、赤色の色領域、並びにその両側に配置される黄色の色領域及びマゼンタ色の色領域の各画素の発光を調整することにより、赤色に近い微妙な色を発色することができる。同様に、緑色の色領域、並びにその両側に配置されるシアン色の色領域及び黄色の色領域に対応する画素の発光を調整することにより緑色に近い微妙な色を発色することができる。また、青色の色領域、並びにその両側に配置されるマゼンタ色とシアン色の色領域に対応する画素の発光を調整することにより青色に近い微妙な色を発色することができる。
【００２０】
上記例の一態様では、前記所定の配列は、ストライプ配列、モザイク配列及びデルタ配列のいずれか１つである。
【００２１】
この態様によれば、従来の赤色、緑色及び青色の代わりに、赤色グループ領域、緑色グループ領域、及び青色グループ領域を使用してストライプ配列、モザイク配列及びデルタ配列のいずれか１つを構成することにより、表示面全体にわたって自然な中間色の発色が可能となる。
【００２２】
上記課題を解決するために、本発明の電気光学装置は、各々発色が異なる３色のグループ色領域が配列されてなるカラーフィルタを備えた電気光学装置において、前記グループ色領域は各々色が異なる複数の色領域を備え、前記複数の色領域は平面的に並べて配置されており、隣接するグループ色領域間に対応する位置には遮光膜が形成されてなるとともに、前記グループ色領域内の前記色領域間においては、前記遮光膜が省略されてなることを特徴とする。
【００２３】
本発明の電気光学装置によれば、各グループ色領域の境界位置に遮光膜が形成されているので、隣接するグループ色領域間における混色を防止し、コントラストを向上することができる。グループ色領域内の色領域間の遮光膜を省略するのは、グループ色領域を構成する色量領域の色が近いため、混色による欠点が少ないからである。
【００２４】
また、本発明の電気光学装置は、前記グループ色領域は青色グループ色領域、緑色グループ色領域、赤色グループ色領域を含んでなることを特徴とする。
【００２５】
また、前記青色グループ色領域は、青色、マゼンダ色およびシアン色の色領域を、前記緑色グループ色領域は、緑色、シアン色および黄色の色領域を、並びに前記赤色グループ色領域は赤色、黄色およびマゼンタ色の色領域をそれぞれ備えてなることを特徴とする。
【００２６】
また、複数の画素を備えており、前記複数の色領域の各々が、前記複数の画素の各々に配置されてなることを特徴とする。
【００２７】
また、ＴＦＴ及び画素電極を有するＴＦＴアレイ基板と、対向基板と、を更に具備し、前記対向基板に前記カラーフィルタが設けられてなることを特徴とする。
【００２８】
本発明の一の電子機器は上記課題を解決するために、上記本発明の電気光学装置を備える。
【００２９】
この電子機器によれば、複数の色領域を使用することにより自然な中間色の発光が可能となる。
【００３０】
本発明のこのような作用及び他の利得は次に説明する実施の形態から明らかにされよう。
【００３１】
【発明の実施の形態】
以下、本発明の実施の形態を図面に基づいて説明する。
（第１の実施の形態）
図１（ａ）に、ＲＧＢの３色からなる一般的なカラーフィルタの分光特性を示す。図示のように、ＲＧＢの各色のフィルタは光の透過率が山型の波形を示しており、それぞれの間に谷部分を有する。例えばＢのフィルタは、光の成分のうちＲ及びＧの成分を吸収するとともにＢの成分を透過させる。各フィルタのピーク部分付近は透過率が高く、その波長に対応する色は比較的良好に表示されるが、各フィルタの透過率特性の間（谷の部分）は、隣接する２色のフィルタの両方により光が透過された結果発色することになり、単一のフィルタの透過光により発色する各フィルタのピーク付近の波長に比べると発色が良くない。
【００３２】
そこで、図１（ａ）に点線で示す特性１００、１０１のように、３色のフィルタの特性を補間するような特性のフィルタを使用すれば、ＲＧＢ３色のフィルタの分光特性の谷部分を補って、カラーフィルタ全体としての分光特性を、理想的なフラットな特性に近づけることができる。即ち、既存のＲＧＢ３色のカラーフィルタに、各色の光透過特性の谷部分に対応する波長にピークを有するような光透過特性の色（以下、「補間色」とも呼ぶ。）のフィルタを追加することにより、より自然な発色を実現することができる。
【００３３】
図１（ｂ）は、そのような補間色を用いたカラーフィルタの分光特性例を示す。図１（ｂ）の例では、４００nm〜７００nmの帯域を波長スペクトル上でほぼ等間隔に６分割し、各帯域のほぼ中心波長にピークを有する６色（色Ｃ１〜Ｃ６）のフィルタを使用するカラーフィルタの分光特性を示す。このように、カラーフィルタを構成する色数を増やし、各色のフィルタが透過する光成分の波長が等間隔となるように構成すれば、カラーフィルタ全体としての分光特性を平坦化し、より自然な発色を実現することができる。
【００３４】
例えば、図１（ｂ）に示すように、色Ｃ１を青色（Blue）、色Ｃ２を青緑色（Blue-Green）、色Ｃ３を緑色（Green）、色Ｃ４を黄緑色（Yellow-Green）、色Ｃ５を橙（Orange）、色Ｃ６を赤色（Red）とすることにより、各色のフィルタが透過する光の波長をほぼ等間隔とすることができる。
【００３５】
図２（ａ）〜（ｃ）に、各色Ｃ１〜Ｃ６のフィルタにより構成されるカラーフィルタの配列パターン例を示す。なお、カラーフィルタ上に形成される個々の色のフィルタ部分を、以下「色領域」と呼ぶ。図２（ａ）〜（ｃ）においては、便宜上各色領域の配列のみを示し、基板や各色領域間に形成される遮光層（ブラックマスク）などは図示を省略する。
【００３６】
図２（ａ）は本実施形態の各色Ｃ１〜Ｃ６の色領域をいわゆるストライプ配列に構成したものである。各色Ｃ１〜Ｃ６の色領域に対して、複数の画素が同図の縦方向に配列される。即ち、このフィルタ配列では、ストライプ形状に構成された色領域に対して、そのストライプ形状の長さ方向に複数の画素が対応して配置される。
【００３７】
図２（ｂ）は、本発明の各色Ｃ１〜Ｃ６のフィルタをいわゆるモザイク（ダイアゴナル）配列に構成したものである。各色Ｃ１〜Ｃ６の色領域に対して１つの画素が対応するように配列される。図２（ｂ）の例では、図１（ｂ）に示す色Ｃ１及びＣ２をＢ（青色）とみなし、色Ｃ３及びＣ４をＧ（緑色）とみなし、色Ｃ５及びＣ６をＲ（赤色）と見なして従来のモザイク配列に色Ｃ１〜Ｃ６の色領域を構成している。その結果、第１行、第２行、第３行で、それぞれ各色が横方向に２色ずつシフトしている。なお、この構成の代わりに、例えば色が横方向に１色または３色ずつシフトするように各色Ｃ１〜Ｃ６の色領域を配列することも可能である。各色Ｃ１〜Ｃ６の色領域は、従来のＲＧＢのフィルタと同様に、各々１画素に対応するように基板上に構成される。
【００３８】
図２（ｃ）は、本発明の各色Ｃ１〜Ｃ６の色領域をいわゆるデルタ（トライアングル）配列に構成したものである。各色Ｃ１〜Ｃ６の色領域に対して１つの画素が対応するように配列される。図２（ｃ）の例でも、図２（ｂ）の例と同様に、色Ｃ１及びＣ２をＢとみなし、色Ｃ３及びＣ４をＧとみなし、色Ｃ５及びＣ６をＲと見なして従来のデルタ配列に色Ｃ１〜Ｃ６の色領域を適用している。
【００３９】
このように、第１実施形態によれば、カラーフィルタを構成する複数の色を、波長スペクトル上でほぼ等間隔に位置するように決定しているので、カラーフィルタ全体としての分光特性が平坦化され、様々な色について自然な発光が実現される。なお、図２の例では６色を使用してカラーフィルタを構成しているが、従来のＲＧＢ３色に対して、図１（ａ）に示すＲＧＢのカラーフィルタの分光特性の谷部分の波長を透過する別の１色又は２色を加え、合計４色又は５色のカラーフィルタとすることもできる。
（第２の実施の形態）
次に、本発明の第２の実施形態について図３及び４を参照して説明する。なお、図２の場合と同様に、図３、４は各色の色領域の配列のみを示し、基板や色領域間に形成される遮光膜は図示していない。
【００４０】
第２の実施形態は、従来のＲＧＢのフィルタに加えて、Ｙ（黄色）、Ｍ（マゼンタ色）及びＣ（シアン色）の３色のフィルタを追加し、合計６色でカラーフィルタを構成する。まず、図３（a）及び（ｂ）を参照して６色の色領域の配列における基本的発想を説明する。ＲＧＢ及びＹＭＣのフィルタに関しては、色の加法について、Ｒ＝Ｙ＋Ｍ、Ｇ＝Ｃ＋Ｙ、Ｂ＝Ｍ＋Ｃという法則が成り立つ。従って、ＹとＭを足す割合を調整することによりＲに近い微妙な色を表現することができる。同様に、ＣとＹとを足す割合を調整することによりＧに近い微妙な色を表現することができ、ＭとＣとを足す割合を調整することによりＢに近い微妙な色を表現することができる。
【００４１】
この観点から、Ｒ、Ｙ、及びＭの３色のフィルタを縦または横方向に配列したものを赤色グループのグループ色領域３Ｒとし、従来のＲの色領域の代わりに使用する。同様に、Ｇ、Ｃ、及びＹの３色のフィルタを縦または横方向に配列したものを緑色グループのグループ色領域３Ｇとして従来のＧの色領域の代わりに使用し、Ｂ、Ｍ、及びＣの３色のフィルタを縦または横方向に配列したものをＢグループのグループ色領域３Ｂとして従来のＢの色領域の代わりに使用する。各々３色のフィルタを縦方向に配列して構成したグループ色領域３Ｒ、３Ｇ及び３Ｂの例を図３（a）に示し、３色のフィルタを横方向に配列して構成したグループ色領域３Ｒ、３Ｇ及び３Ｂの例を図３（ｂ）に示す。なお、通常は各色領域の境界部に遮光膜を形成して隣接する色の混色を防止するが、本発明の第２実施形態において、１つのグループ色領域内の色領域間（例えば図３（ａ）の赤色グループ色領域３Ｒ内のＹ、Ｒ及びＭの色領域の境界部分）の遮光膜を省略することもできる。これは、１つのグループ色領域を構成する色が近いため、混色による欠点が少ないと考えられるからである。
【００４２】
図３（ｃ）は上述のグループ色領域３Ｒ、３Ｇ、及び３Ｂを従来のＲＧＢの色領域と見なしてストライプ配列に構成した例である。よって、図３（ｃ）のグループ色領域３Ｒの部分には、図３（ａ）または（ｂ）に示すグループ色領域３Ｒが配置される。
【００４３】
図４（ａ）はグループ色領域３Ｒ、３Ｇ、３Ｂを従来のＲＧＢの領域とみなしてモザイク配列に構成した例であり、図４（ｂ）はグループ色領域３Ｒ、３Ｇ、３Ｂを従来のＲＧＢの色領域とみなしてデルタ配列に構成した例である。
【００４４】
このように、従来のＲＧＢ各色の色領域の代わりに、その色を構成する複数の色のフィルタを含む３色のグループ色領域として構成することにより、ＲＧＢの各色について微妙な中間色を表現できるようになる。
（第３の実施の形態）
次に、上述の第１及び第２の実施形態にかかるカラーフィルタの層構成について説明する。本実施の形態の説明については、液晶パネル用のカラーフィルタを前提として行う。図５に、本発明の実施の形態におけるカラーフィルタを示す。なお、図５においては各色のフィルタの例として、色Ｃ１〜Ｃ６の色フィルタを使用する場合を例示しているが、各色フィルタの配列については、上述の第１及び第２実施形態において説明した配列のいずれを使用することもできる。
【００４５】
図５は、液晶パネルを構成する一対の基板のうちカラーフィルタが形成される側の対向基板と共に該カラーフィルタを断面図で模式的に示したものである。なお、図５においては、各層や各部材を図面上で認識可能な程度の大きさとするため、各層や各部材毎に縮尺を異ならしめてある。
【００４６】
図５において、カラーフィルタ４００は、対向基板２の上に積層された着色フィルタ層１２０、遮光層（ブラックマスク）１３０及びオーバーコート（ＯＣ）膜１４０を備えている。
【００４７】
カラーフィルタ４００は、図示しない液晶パネルの複数の画素部に夫々対応する位置において、各色（図４の例では色Ｃ１〜Ｃ６）毎に所定パターンで対向基板２上に配置されている。各色のフィルタの配列パターンは図２乃至４を参照して説明したもののいずれか１つを使用する。図中矢印で示したように液晶パネルには、その動作時に対向基板２の下側から光源光が入射される。
【００４８】
着色フィルタ層１２０は、層厚が夫々０．５〜５μｍ程度である。着色フィルタ層１２０上には、前述の色領域が形成されている。着色フィルタ層部分１２０は、対応する波長の光を透過するとともに、それ以外の波長の光を吸収する。例えば、色Ｃ１がＲであると仮定すれば、着色フィルタ層１２０の色Ｃ１の色領域はＧの光を吸収すると共にＲの光を透過する。
【００４９】
オーバーコート膜１４０は、アクリル樹脂やエポキシ樹脂からなり、厚さ０．５〜２μｍ程度の保護膜及び平坦化膜として着色フィルタ層１２０の全面に形成される。
【００５０】
遮光層１３０は、相隣接する複数の画素部の境界に夫々対応する位置に、例えば、金属クロム、ニッケルやアルミニウム等から形成される。なお、カーボンやチタンをフォトレジストに分散した樹脂ブラックでも同様に遮光層を作成可能であるが、光の吸収が少ない、即ち、反射率の高い金属を用いて作成した方が、熱上昇防止等の観点から適している。
【００５１】
なお、図５の例では、遮光層１３０を対向基板２上に形成して、遮光層１３０の上に着色フィルタ層１２０を形成するようにしたが、着色フィルタ層１２０を形成した後に、例えば、平坦化膜を形成して、その上に遮光層を形成してもよいし、オーバーコート膜１４０上に形成してもよい。以上のように構成された遮光層１３０により、隣接する色間での混色の防止及びコントラストの向上が図られる。更に、当該液晶パネルをＴＦＴ（薄膜トランジスタ）駆動型とする場合には、ＴＦＴのチャネル領域を覆う位置にも遮光層を設けることにより、ＴＦＴのチャネル領域に対する遮光の機能を持たせてもよい。
【００５２】
着色フィルタ層１２０は、例えば、感光性顔料分散法、非感光性顔料分散法等の顔料分散法、或いは染色法、印刷法、電着法、ミセル電解法、インクジェット法などにより形成される。
【００５３】
感光性顔料分散法の場合には、顔料を分散した感光性レジスト材料を対向基板２上に塗布した後、現像及び露光して所定パターンの着色フィルタ層１２０を形成する。非感光性顔料分散法の場合には、顔料を分散した非感光性ポリマー材料を対向基板２上に塗布した後、別途感光性レジスト層を用いて現像及び露光して所定パターンのカラーフィルタを形成する。前者は、製造工程数が少ない点で有利であり、後者は、パターン精度においてより優れている。
（第４の実施の形態）
図６に、本発明の実施の形態における液晶パネルを、画素部における断面図で示す。なお、図６においては、各層や各部材を図面上で認識可能な程度の大きさとするため、各層や各部材毎に縮尺を異ならしめてある。
【００５４】
図６において、液晶パネル１０は、上述の第１又は第２の実施の形態に従う複数の色領域を有し、図５に示す層構成を有するカラーフィルタ４００を備えて構成されている。
【００５５】
液晶パネル１０は更に、ＴＦＴアレイ基板１と、カラーフィルタ４００が形成された対向基板２と、これらの基板間に挟持された液晶５０と、ＴＦＴアレイ基板１にＸ方向に配列された複数の信号線（ソース電極線）３５と、ＴＦＴアレイ基板１にＹ方向に配列された複数の走査線（ゲート電極線）３１とを備えている。
【００５６】
ＴＦＴアレイ基板１上には、液晶５０に対面する側にマトリクス状に設けられており、信号線３５及び走査線３１により夫々マトリクス駆動されると共に所定種類の複数色のうちいずれか一色に夫々割り当てられた複数の画素部を構成するＴＦＴ３０、ＩＴＯ（Indium Tin Oxide）膜等からなる画素電極１１及び蓄積容量７０が設けられている。更に、ＴＦＴ３０及び蓄積容量７０の上には、２つの層間絶縁層４２及び４３が設けられており、ＴＦＴ３０、蓄積容量７０を構成する各層や信号線３５及び走査線３１を構成する各層の層間絶縁がなされている。
【００５７】
ＴＦＴ３０は、低抵抗のポリシリコン等からなる走査線（ゲート電極線）３１にゲート酸化膜３３を介して対向する位置にチャネルが形成されると共に、信号線３５とコンタクトホール３７を介して接続されたソース領域３４及び画素電極１１とコンタクトホール38を介して接続されたドレイン領域３６とを含むポリシリコン等の半導体層３２を備えている。このようなＴＦＴ３０としては、ＬＤＤ（Lightly Drain Doped）構造、セルフアライン構造、オフセット構造等の各種の構造を有するものでよい。
【００５８】
また、蓄積容量７０は、半導体層３２’と低抵抗のポリシリコン等からなる容量線３１’とが、絶縁膜３３’を介して対向配置される構成を有する。
【００５９】
他方、対向基板２上には、画素境界に形成された遮光層を含んで構成されるカラーフィルタ４００が形成されており、その液晶５０に面する側には、対向基板２の全面に渡ってＩＴＯ膜等から共通電極２１が形成されている。
【００６０】
また、画素電極１１上及び共通電極２１上には、液晶５０を所定の配向状態とするための、ラビング処理が施された配向膜１２及び２２が夫々形成されている。
（第５の実施形態）
以上のように構成された液晶パネル１０を含む液晶装置の全体構成を図７及び図８を参照して説明する。なお、図７は、ＴＦＴアレイ基板１をその上に形成された各構成要素と共に対向基板２の側から見た平面図であり、図８は、対向基板２を含めて示す図７のＨ−Ｈ’断面図である。
【００６１】
図７において、ＴＦＴアレイ基板１の上には、シール剤５２がその縁に沿って設けられており、その内側に並行して対向基板２の周辺見切り５３が規定されている。シール剤５２の外側の領域には、信号線駆動回路１０１及び実装端子１０２がＴＦＴアレイ基板１の一辺に沿って設けられており、走査線駆動回路１０４が、この一辺に隣接する２辺に沿って設けられている。更にＴＦＴアレイ基板１の残る一辺には、複数の配線１０５が設けられている。また、シール剤５２の四隅には、ＴＦＴアレイ基板１と対向基板２との間で電気的導通をとるための導通剤からなる銀点１０６が設けられている。そして、図８に示すように、図７に示したシール剤５２とほぼ同じ輪郭を持つ対向基板２が当該シール剤５２によりＴＦＴアレイ基板１に固着されている。本実施の形態では特に、カラーフィルタ４００が対向基板２に形成されている。
【００６２】
信号線駆動回路１０１及び走査線駆動回路１０４は、配線により図６に示した信号線（ソース電極線）３５及び走査線３１（ゲート電極線）に夫々電気的接続されている。信号線駆動回路１０１には、図示しない制御回路から即時表示可能な形式に変換された画像信号が入力され、走査線駆動回路１０４がパルス的に走査線３１に順番にゲート電圧を送るのに合わせて、画像信号に応じた信号電圧を信号線３５に送る。本実施の形態では特に、画素部におけるＴＦＴ３０の形成時に同一工程で、信号線駆動回路１０１及び走査線駆動回路１０４を構成するＴＦＴを形成することも可能であり、製造上有利である。
【００６３】
なお、信号線駆動回路１０１及び走査線駆動回路１０４をＴＦＴアレイ基板１の上に設ける代わりに、例えばＴＡＢ（テープオートメイテッドボンディング）基板上に実装された駆動用ＬＳＩに、ＴＦＴアレイ基板１の周辺部に設けられた異方性導電フィルムを介して電気的及び機械的に接続するようにしてもよい。
【００６４】
以上の構成により、本発明に係る液晶パネル１０は、従来のＲＧＢ３色のみならず、これらを補う他の色フィルタを使用するので、微妙な中間色を良好に発色することができる。
【００６５】
なお、本実施の形態では、液晶パネル１０は、ＴＦＴを用いたアクティブマトリクス駆動型の液晶パネルとして構成されているが、ＭＩＭ（Metal Insulator Metal）素子等の他の素子を用いたアクティブマトリクス駆動型の液晶パネルとして構成してもよい。この場合、データ線及び走査線のうち一方の線を対向基板に配置して対向電極として機能させ、他方の基板に設けられた他方の線と画素電極との間にＭＩＭ素子等を夫々配置して液晶駆動する。このように構成しても、前述した第１又は第２の実施の形態によるカラーフィルタを用いて構成すれば、同様の効果が得られる。更に、パッシブマトリクス駆動型の液晶パネルとして構成してもよい。この場合、データ線及び走査線のうち一方の線を対向基板に配置し、他方の基板に設けられた他方の線との間で液晶駆動する。このように構成しても、前述した第１又は第２の実施の形態によるカラーフィルタを用いて構成すれば、同様の効果が得られる。
【００６６】
図６から図８には示されていないが、液晶パネル１０においては、対向基板２の光が入射する側及びＴＦＴアレイ基板１の光が出射する側には夫々、例えば、ＴＮ（ツイステッドネマティック）モード、 ＳＴＮ（スーパーＴＮ）モード、Ｄ−ＳＴＮ（ダブル−ＳＴＮ）モード等の動作モードや、ノーマリーホワイトモード／ノーマリーブラックモードの別に応じて、偏光フィルム、位相差フィルム、偏光板などが所定の方向で配置される。
（第６の実施形態）
以下、上述の液晶装置を備えた電子機器について図９を参照して説明する。図９に、本実施の形態における液晶装置を備えた電子機器の電気的構成を示す。
【００６７】
図９において、電子機器は、表示情報出力源１０００、表示情報処理回路１００２、駆動回路１００４、液晶パネル１０、クロック発生回路１００８並びに電源回路１０１０を備えて構成されている。表示情報出力源１０００は、ＲＯＭ（Read Only Memory）、ＲＡＭ（Random Access Memory）、光ディスク装置などのメモリ、テレビ信号を同調して出力する同調回路等を含み、クロック発生回路１００８からのクロック信号に基づいて、所定フォーマットの画像信号などの表示情報を表示情報処理回路１００２に出力する。表示情報処理回路１００２は、増幅・極性反転回路、相展開回路、ローテーション回路、ガンマ補正回路、クランプ回路等の周知の各種処理回路を含んで構成されており、クロック信号に基づいて入力された表示情報からデジタル信号を順次生成し、クロック信号ＣLKと共に駆動回路１００４に出力する。駆動回路１００４は、液晶パネル１０を駆動する。電源回路１０１０は、上述の各回路に所定電源を供給する。なお、液晶パネル１０を構成するＴＦＴアレイ基板の上に、駆動回路１００４を搭載してもよく、これに加えて表示情報処理回路１００２を搭載してもよい。
【００６８】
このように構成される電子機器の具体例としては、液晶プロジェクタ、ラップトップ型パーソナルコンピュータのディスプレイに使用される液晶表示装置、ビューファインダ及びヘッドマウントディスプレイの表示装置、液晶テレビ、ビューファインダ型又はモニタ直視型のビデオテープレコーダ、カーナビゲーション装置、電子手帳、ワードプロセッサ、エンジニアリング・ワークステーション（ＥＷＳ）、携帯電話、テレビ電話、ＰＯＳ端末、並びにタッチパネルを備えた装置などがあげられ、それらに第５実施形態に係る液晶パネルを適用することができる。
【００６９】
なお、以上説明した各実施の形態では液晶パネル用のカラーフィルタを前提としているが、本発明はこれに限られるものではなく、透過光や反射光により画素表示を行う表示装置であれば、適用可能である。
【図面の簡単な説明】
【図１】  本発明の第１の実施形態に係るカラーフィルタの各色の分光特性を示すグラフである。
【図２】  本発明の第１の実施形態に係るカラーフィルタの各色領域の配列パターン例を示す図である。
【図３】  本発明の第２の実施形態に係るカラーフィルタの各色領域の配列パターン例を示す図である。
【図４】  本発明の第２の実施形態に係るカラーフィルタの各色領域の配列パターン例を示す他の図である。
【図５】  本発明の第３の実施形態に係るカラーフィルタの部分断面図である。
【図６】  本発明の第４の実施形態に係る液晶パネルの部分断面図である。
【図７】  本発明の第５の実施の形態における液晶装置の全体構成を示す平面図である。
【図８】  本発明の第５の実施の形態における液晶装置の全体構成を示す断面図である。
【図９】  本発明の第６の実施の形態における電子機器の電気系の構成を示すブロック図である。
【符号の説明】
１…ＴＦＴアレイ基板
２…対向基板
１０…液晶パネル
１１…画素電極
１２…配向膜
２１…共通電極
２２…配向膜
３０…ＴＦＴ
７０…蓄積容量
４００…カラーフィルタ
１２０…着色フィルタ層
１３０…遮光層
１４０…オーバーコート膜
１０１…信号線駆動回路
１０２…外部入力端子（実装端子）
１０４…走査線駆動回路
【図１】
0004013494.tif 000002
【図２】
0004013494.tif 000003
【図３】
0004013494.tif 000004
【図４】
0004013494.tif 000005
【図５】
0004013494.tif 000006
【図６】
0004013494.tif 000007
【図７】
0004013494.tif 000008
【図８】
0004013494.tif 000009
【図９】
0004013494.tif 000010